(57)【要約】【課題】自動的に所望の受話レベルに調整することができる電話端末、電話システム、受話レベル補正方法及び受話レベル補正プログラムを提供する。【解決手段】一実施の形態によれば、電話端末１０は、受話レベルを調整可能な受話器１１と、受話器１１の向きを検出する受話器向き情報検出部１２と、受話器向き情報検出部１２が検出した受話器の向きに基づいて、受話器１１がユーザの耳にあてられた状態を判断し、所定の受話レベルに調整する制御部１３と、を備える。受話器向き情報検出部１２は、受話器１１が移動する加速度を検出する加速度センサ１２ａと、受話器１１の温度を検出する温度センサ１２ｂと、を含む。【選択図】図１
2020127137.tif 000002
【特許請求の範囲】
【請求項１】
受話レベルを調整可能な受話器と、
前記受話器の向きを検出する受話器向き情報検出部と、
前記受話器向き情報検出部が検出した前記受話器の向きに基づいて、前記受話器がユーザの耳にあてられた状態を判断し、所定の前記受話レベルに調整する制御部と、
を備えた電話端末。
【請求項２】
前記電話端末は、前記ユーザを特定するユーザ特定部をさらに備えた、
請求項１に記載の電話端末。
【請求項３】
前記受話器向き情報検出部は、
前記受話器が移動する加速度を検出する加速度センサと、
前記受話器の温度を検出する温度センサと、
を含む、
請求項１または２に記載の電話端末。
【請求項４】
前記受話器が前記ユーザの耳にあてられた状態と、前記ユーザの情報と、を紐付けたデータとして保存するメモリ部をさらに備え、
前記制御部は、前記メモリ部に保存された前記データに基づいて前記ユーザの利き耳を特定する、
請求項１〜３のいずれか１項に記載の電話端末。
【請求項５】
請求項１〜３のいずれか１項に記載の電話端末と、
前記電話端末と有線又は無線により情報の送受信が可能な状態に接続された主装置と、
を備え、
前記主装置は、
前記受話器が前記ユーザの耳にあてられた状態と、前記ユーザの情報と、を紐付けたデータとして保存するメモリ部と、
前記メモリ部に保存された前記データに基づいて前記ユーザの利き耳を特定する主装置制御部と、
を有する電話システム。
【請求項６】
前記主装置は、前記受話レベルを調整するＤＳＰ部をさらに有する、
請求項５に記載の電話システム。
【請求項７】
受話レベルを調整可能な受話器の向きを受話器向き情報検出部により検出するステップと、
前記受話器向き情報検出部が検出した前記受話器の向きに基づいて、前記受話器がユーザの耳にあてられた状態を判断するステップと、
前記受話器がユーザの耳にあてられた状態に基づいて、所定の前記受話レベルに調整するステップと、
を備えた受話レベル補正方法。
【請求項８】
受話レベルを調整可能な受話器の向きを受話器向き情報検出部により検出させ、
前記受話器向き情報検出部が検出した前記受話器の向きに基づいて、前記受話器がユーザの耳にあてられた状態を判断させ、
前記受話器がユーザの耳にあてられた状態に基づいて、所定の前記受話レベルに調整させる、
ことをコンピュータに実行させる受話レベル補正プログラム。
【発明の詳細な説明】
【技術分野】
【０００１】
本発明は、電話端末、電話システム、受話レベル補正方法及び受話レベル補正プログラムに関し、例えば、受話器の受話レベルを調整することができる電話端末、電話システム、受話レベル補正方法及び受話レベル補正プログラムに関する。
【背景技術】
【０００２】
利き手が右手、かつ、利き耳が右耳のユーザにとって、電話機で通話を行う際に受話器を右手に持って通話するはずである。その場合、何かメモを取る際に、受話器を左手に持ち替え、左耳で音声を聞き、メモを右手で行う。
【先行技術文献】
【特許文献】
【０００３】
【特許文献１】特開２０１３−００５２７６号公報
【特許文献２】特開２０１１−２０５２５６号公報
【特許文献３】特開２００７−２３５４７４号公報
【特許文献４】特開平０９−００８９５７号公報
【発明の概要】
【発明が解決しようとする課題】
【０００４】
左耳が利き耳でない場合に、右耳よりも音が遠くから聞こえるイメージを持つユーザや、聞こえづらいと感じるユーザも多い。また、高齢化や病気などで片耳が聞こえづらいユーザにおいても同様のことが言える。
【０００５】
本開示の目的は、上述した課題を鑑み、利き耳に受話器をあてて音声を聞く場合、及び、利き耳でない方の耳に受話器をあてて音声を聞く場合のどちらの場合でも、自動的に所望の受話レベルに調整することができる電話端末、電話システム、受話レベル補正方法及び受話レベル補正プログラムを提供することにある。
【課題を解決するための手段】
【０００６】
一実施の形態に係る電話端末は、受話レベルを調整可能な受話器と、前記受話器の向きを検出する受話器向き情報検出部と、前記受話器向き情報検出部が検出した前記受話器の向きに基づいて、前記受話器がユーザの耳にあてられた状態を判断し、所定の前記受話レベルに調整する制御部と、を備える。
【発明の効果】
【０００７】
一実施の形態によれば、利き耳に受話器をあてて音声を聞く場合、及び、利き耳でない方の耳に受話器をあてて音声を聞く場合のどちらの場合でも、自動的に所望の受話レベルに調整することができる電話端末、電話システム、受話レベル補正方法及び受話レベル補正プログラムを提供することができる。
【図面の簡単な説明】
【０００８】
【図１】実施形態１に係る電話システムを例示した構成図である。
【図２】実施形態１に係る電話システムの電話端末の詳細を例示した構成図である。
【図３】実施形態１に係る電話システム１の動作を例示したシーケンス図である。
【図４】実施形態２に係る電話端末を例示した構成図である。
【発明を実施するための形態】
【０００９】
（実施形態１）
実施形態１に係る電話システムを説明する。図１は、実施形態１に係る電話システムを例示した構成図である。図２は、実施形態１に係る電話システムの電話端末の詳細を例示した構成図である。図１及び図２に示すように、電話システム１は、電話端末１０及び主装置２０を備えている。主装置２０は、電話端末１０と、有線または無線により情報の送受信が可能な状態に接続されている。複数の電話端末１０が主装置２０に接続されてもよい。
【００１０】
電話端末１０は、受話器１１、受話器向き情報検出部１２、制御部１３を有している。また、電話端末１０は、ユーザ特定部１４及び送話器１５を有してもよい。
【００１１】
受話器１１は、音声等の音を生成する。受話器１１は、例えば、電話端末１０の一方の面１９側の部分に配置されている。よって、音声は、電話端末１０の一方の面１９側の部分から発せられる。ユーザは、受話器１１を耳にあてて音声を聞く。例えば、受話器１１が電話端末１０の一方の面１９側の部分に配置されている場合には、ユーザは、電話端末１０の一方の面１９側に耳をあてて音声を聞く。
【００１２】
受話器１１は、受話レベルを調整可能である。受話レベルは、例えば、音量である。なお、受話器１１は、受話レベルとして、周波数毎の音量が調整されてもよいし、周波数等の音質を調整されてもよい。送話器１５も電話端末１０の一方の面１９側の部分に配置されている。ユーザは、電話端末１０の一方の面１９側に配置された送話器１５に対して発声する。
【００１３】
受話器向き情報検出部１２は、受話器１１がユーザの耳にあてられた場合の受話器１１の向きを検出する。受話器向き情報検出部１２は、検出した受話器１１の向きを制御部１３に送信する（図１の１．１）。受話器向き情報検出部１２は、例えば、加速度センサ１２ａ及び温度センサ１２ｂを含んでいる。
【００１４】
加速度センサ１２ａは、受話器１１が移動する場合の加速度を検出する。加速度センサ１２ａは、受話器１１の加速度の大きさ、加速度の方向を検出する。加速度センサ１２ａは検出した受話器１１の加速度を制御部１３に送信する。受話器１１の加速度を検出することにより、受話器１１の向きを判断することができる。
【００１５】
温度センサ１２ｂは、受話器１１の温度を検出する。温度センサ１２ｂは、検出した温度を制御部１３に出力する。受話器１１の温度を検出することにより、受話器１１がユーザの耳にあてられた状態か判断することができる。
【００１６】
なお、受話器向き情報検出部１２は、受話器１１がユーザの耳にあてられた場合の受話器１１の向きを検出することができれば、加速度センサ１２ａ及び温度センサ１２ｂに限らない。例えば、ＧＰＳ（Ｇｌｏｂａｌ  Ｐｏｓｉｔｉｏｎｉｎｇ  Ｓｙｓｔｅｍ）を用いて受話器１１の向き情報を検出してもよいし、電話端末１０におけるカメラの画像から受話器１１の向き情報を検出してもよい。
【００１７】
制御部１３は、受話器向き情報検出部１２が検出した受話器１１の向きに基づいて、受話器１１がユーザの耳にあてられた状態を判断する。具体的には、例えば、制御部１３は、ユーザの右耳または左耳のどちらの耳にあてられた状態かを判断する。例えば、制御部１３は、加速度センサ１２ａが検出した加速度及び温度センサ１２ｂが検出した温度に基づいて、受話器１１がどちらの耳にあてられた状態かを判断する。
【００１８】
例えば、制御部１３は、温度センサ１２ｂが検出した温度より、受話器１１がユーザの耳にあてられた状態であると判断する。また、制御部１３は、例えば、受話器１１の傾きを含む向きから、受話器１１がユーザの左右どちらの耳にあてられたか判断する。例えば、一方の面１９の上方に受話器１１、一方の面１９の下方に送話器１５が配置された電話端末１０において、一方の面１９に向かって、上方が右側、下方が左側に傾いた向きの場合には、受話器１１がユーザの右耳にあてられたと判断する。制御部１３は、受話器１１がユーザの耳にあてられた状態を判断し、判断した結果を主装置２０に送信する（図１の１．２）。また、制御部１３は、主装置２０の判断に基づいて、所定の受話レベルに調整する。制御部１３は、例えば、ＣＰＵを含むマイコンである。
【００１９】
ユーザ特定部１４は、電話端末１０を使用するユーザを特定する。ユーザ特定部１４は、例えば、ログインＩＤを認証するＩＤ認証部である。また、ユーザ特定部１４は、例えば、ユーザの指紋を認証する指紋認証部である。また、ユーザ特定部１４は、例えば、音声を認証する声紋認証部である。ユーザ特定部１４は、特定したユーザ情報を制御部１３に出力する。制御部１３は、ユーザ特定部１４が特定したユーザ情報を主装置２０に送信する。電話端末１０は、その電話端末１０に固有の端末情報を有している。端末情報は、例えば、内線番号である。制御部１３は、端末情報を主装置２０に送信する。
【００２０】
主装置２０は、メモリ部２１、ＤＳＰ（Ｄｉｇｉｔａｌ  Ｓｉｇｎａｌ  Ｐｒｏｃｅｓｓｏｒ）部２２、制御部２３を有している。
【００２１】
制御部２３は、電話端末１０の制御部１３から受信した端末情報またはユーザ情報と、受話器１１の向き情報と、を紐付けしたデータとして、メモリ部２１に保存する（図１の１．３）。また、制御部２３は、メモリ部２１に保存されたこれまでのデータを基に、電話端末１０またはユーザは、右耳、左耳のどちらの耳で使用される頻度が高いかを算出する。そして、制御部２３は、算出した結果より、電話端末１０またはユーザの利き耳を特定する。このように、制御部２３は、メモリ部２１に保存されたデータに基づいて、ユーザの利き耳を特定する。制御部２３は特定した利き耳情報もデータに紐付けして、メモリ部２１に保存する。
【００２２】
制御部２３は、新たに送信された端末情報またはユーザ情報と、受話器１１の向き情報とを比較して、受話器１１が、ユーザの利き耳にあてられているか判断する。そして、受話器１１が利き耳にあてられた場合には、制御部２３は、ＤＳＰ部２２に対して、利き耳の場合の受話レベルを保つように制御する。一方、受話器１１が利き耳でない方の耳にあてられた場合には、制御部２３は、ＤＳＰ部２２に対して、利き耳でない場合の受話レベルに調整させる（図１の１．４）。ＤＳＰ部２２は、リアルタイムで受話レベルを調整することができる。制御部２３は、電話端末１０に対して、ＤＳＰ部２２が調整した受話レベルになるように制御する。制御部２３は、例えば、ＣＰＵを含むマイコンである。
【００２３】
メモリ部２１は、ユーザ情報、端末情報を保存する。メモリ部２１は、受話器１１がユーザの耳にあてられた状態と、端末情報またはユーザ情報と、を紐付けたデータとして保存する。メモリ部２１は、保存したデータを必要に応じて制御部２３に出力する。ＤＳＰ部２２は、受話レベルを調整する。
【００２４】
このように、本実施形態の電話システム１は、ユーザの利き耳が左右のどちらの耳か、及び、聞こえづらいと推測される耳が左右のどちらの耳かを検出する。そして、利き耳の場合には通常の受話レベルに調整し、利き耳に比べて聞こえづらいと推測される耳の場合には、受話レベルを増大させるように調整する。
【００２５】
次に、本実施形態の電話システム１の動作を説明する。図３は、実施形態１に係る電話システム１の動作を例示したシーケンス図である。図３に示すように、ユーザは、電話端末１０をオフフックする。ユーザが電話端末１０をオフフックする際に、ユーザ特定部１４は、ユーザに対して、ログインＩＤの入力を要求してもよいし、指紋認証または声紋認証してもよい。これにより、ユーザ特定部１４は、ユーザを特定する。ユーザ特定部１４は特定したユーザの情報を制御部１３に送信する。
【００２６】
図３のスッテプ（２．１）に示すように、ユーザが電話端末１０をオフフックすると、電話端末１０の制御部１３は、端末情報またはユーザ情報を、主装置２０の制御部２３へ送信する。端末情報は、例えば、内線番号である。ユーザ情報は、ユーザ特定部１４により特定されている。ユーザ情報は、ログインＩＤ、指紋認証、声紋認証等により特定されているので、電話端末１０に依らない。
【００２７】
図３のステップ（２．２）に示すように、ユーザが受話器１１を耳に近づけると、受話器向き情報検出部１２は、受話器１１の向きを検出する。そして、電話端末１０の制御部１３は、受話器向き情報検出部１２が検出した受話器１１の向きに基づいて、受話器１１がユーザの耳にあてられた状態を判断する。ユーザの耳にあてられた状態を判断した制御部１３は、受話器向き情報を主装置２０に送信する。受話器向き情報は、例えば、受話器１１がユーザの耳にあてられた状態、具体的には、右耳にあてられたか左耳にあてられたかである。受話器向き情報は、例えば、加速度センサ１２ａにより検出された受話器１１の向き、及び、温度センサ１２ｂにより検出された受話器１１がユーザの耳にあてられたことから取得される。
【００２８】
主装置２０の制御部２３は、送信された端末情報またはユーザ情報を参照し、メモリ部２１から当該電話端末１０またはユーザにおける利き耳情報を取得する。そして、制御部２３は、今回、送信された受話器向き情報と、メモリ部２１から取得した利き耳情報とを比較する。
【００２９】
受話器１１が利き耳にあてられた場合には、制御部２３は、ＤＳＰ部２２に対して、通常の受話レベルを保つように制御する。一方、受話器１１が利き耳でない方の耳にあてられた場合には、制御部２３は、ＤＳＰ部２２に対して、受話レベルを調整させる。
【００３０】
図３のステップ（２．３）に示すように、ＤＳＰ部２２が調整した受話レベルを受信して、電話端末１０の制御部１３は、受話器１１の受話レベルを調整する。このように、制御部１３は、受話器１１がユーザの耳にあてられた状態に基づいて、所定の受話レベルに調整する。
【００３１】
例えば、ユーザは、受話器１１を右耳にあてることを３回連続で行っているとする。この場合は、主装置２０の制御部２３は、ユーザの利き耳が右耳であると判断する。そして、制御部２３は、電話端末１０の制御部１３から送信された受話器向き情報が右耳を示していれば、ＤＳＰ部２２に対して、通常の受話レベルで通話パスを確立するように指示を出す。
【００３２】
一方、利き耳を左耳と判断していた場合には、ＤＳＰ部２２に対して、増大させた受話レベルで通話パスを確立するように指示を出す。例えば、＋３ｄＢ増大させた通話パスを確立させる。
【００３３】
利き耳が右耳か左耳かはユーザによってばらつきがある。したがって、利き耳と異なる耳で通話中に、電話端末１０の受話レベルを操作することがあれば、主装置２０は、その情報をメモリ部２１に保存する。以後、その受話レベルで自動調整できるようにする。また、利き耳であっても、受話レベルの操作が行われていれば、その設定もメモリ部２１に保存する。
【００３４】
ユーザが通常使用する電話端末１０と異なる電話端末１０を使用する場合でも、その異なる電話端末１０のユーザ特定部１４にユーザを特定させれば、主装置２０の制御部２３は、その異なる電話端末１０を、そのユーザの利き耳情報に基づいて受話レベルを調整する。
【００３５】
次に、本実施形態の効果を説明する。本実施形態の電話システム１は、受話器向き情報を検出し、利き耳に受話器１１をあてて聞く場合、及び、利き耳でない方の耳に受話器１１をあてて音声を聞く場合のどちらの場合でも、所望の受話レベルに調整することができる。これにより、ユーザが左右の耳を意識する必要なく、適切な受話レベルが提供される。よって、ユーザは受話レベルを気にせず安心して通話することができる。
【００３６】
また、本実施形態の電話システム１は、ユーザ毎に利き耳、受話レベルを管理することができる。よって、受話レベルの調整は電話端末１０に依存せず、ユーザ特定部１４により特定されたユーザ毎に調整することができる。これにより、ユーザが通常使用する電話端末１０と異なる電話端末１０を使用する場合でも、受話レベルを調整することができる。
【００３７】
さらに、本実施形態の電話システム１を用いることにより、左耳を利き耳とするユーザに対して、右耳に受話器１１をあてて通話させることができる。仕事は、左脳（右耳からの音)を働かせるのが効率的であると言われている。このため、普段、左耳を使用するユーザも、自動的に受話レベルを増大させることにより、右耳へのシフトが可能である。よって、そのようなユーザの仕事の効率化に繋げることができる。また、普段、右耳を使用する人が、左耳で聞き、右手でメモ取りする場合にも有効である。
【００３８】
（実施形態２）
次に、実施形態２に係る電話端末を説明する。本実施形態の電話端末は、携帯電話、スマートフォン等の移動携帯端末であり、実施形態１の電話システム１における主装置２０に設けられたメモリ部２１、ＤＳＰ部２２及び制御部２３の機能を有している。
【００３９】
図４は、実施形態２に係る電話端末を例示した構成図である。図４に示すように、電話端末３０は、受話器３１、受話器向き情報検出部３２、制御部３３、ユーザ特定部３４、送話器３５、メモリ部３６、ＤＳＰ部３７を備えている。電話端末３０は、前述の電話端末１０に、主装置２０のメモリ部２１、ＤＳＰ部２２及び制御部２３が含まれた構成となっている。
【００４０】
受話器３１は、音声等の音を生成する。受話器３１は、受話レベルを調整可能である。受話器向き情報検出部３２は、受話器３１がユーザの耳にあてられた場合の受話器３１の向きを検出する。受話器向き情報検出部３２は、検出した受話器３１の向きを制御部３３に送信する。受話器向き情報検出部３２は、例えば、加速度センサ３２ａ及び温度センサ３２ｂを含んでいる。ユーザ特定部３４は、電話端末３０を使用するユーザを特定する。ユーザ特定部３４は、特定したユーザ情報を制御部３３に出力する。送話器３５は、ユーザの発声を信号に変換する。
【００４１】
制御部３３は、受話器向き情報検出部３２が検出した受話器３１の向きに基づいて、受話器３１がユーザの耳にあてられた状態を判断する。具体的には、例えば、制御部３３は、ユーザの右耳または左耳のどちらの耳にあてられた状態かを判断する。また、制御部３３は、端末情報またはユーザ情報と、受話器３１の向き情報と、を紐付けしたデータとして、メモリ部３６に保存する。また、制御部３３は、メモリ部３６に保存されたこれまでのデータを基に、電話端末３０またはユーザは、右耳、左耳のどちらの耳で使用される頻度が高いかを算出する。そして、制御部３３は、算出した結果より、電話端末３０またはユーザの利き耳を特定する。このように、制御部３３は、メモリ部３６に保存されたデータに基づいて、ユーザの利き耳を特定する。制御部３３は特定した利き耳情報もデータに紐付けして、メモリ部３６に保存する。
【００４２】
制御部３３は、新たに送信された端末情報またはユーザ情報と、受話器向き情報とを比較して、受話器３１が、ユーザの利き耳にあてられているか判断する。そして、受話器３１が利き耳にあてられた場合には、制御部３３は、ＤＳＰ部３７に対して、通常の受話レベルに調整させ、受話器３１が利き耳でない方の耳にあてられた場合には、受話レベルを増大させる。
【００４３】
本実施形態の電話端末３０においても、実施形態１と同様に、受話器向き情報を検出し、利き耳に受話器３１をあてて音声を聞く場合、及び、利き耳でない方の耳に受話器３１をあてて音声を聞く場合のどちらの場合でも、所望の受話レベルに調整することができる。これ以外の構成、動作及び効果は、実施形態１の記載に含まれている。
【００４４】
なお、本発明は上記実施の形態に限られたものではなく、趣旨を逸脱しない範囲で適宜変更することが可能である。例えば、実施形態１及び２における受話レベル補正方法を、コンピュータに実行させる以下の受話レベル補正プログラムも、実施形態１及び２の技術的思想の範囲に含まれる。
【００４５】
すなわち、受話レベルを調整可能な受話器の向きを受話器向き情報検出部により検出させ、
前記受話器向き情報検出部が検出した前記受話器の向きに基づいて、前記受話器がユーザの耳にあてられた状態を判断させ、
前記受話器がユーザの耳にあてられた状態に基づいて、所定の前記受話レベルに調整させる、
ことをコンピュータに実行させる受話レベル補正プログラム。
【符号の説明】
【００４６】
１  電話システム
１０  電話端末
１１  受話器
１２  受話器向き情報検出部
１２ａ  加速度センサ
１２ｂ  温度センサ
１３  制御部
１４  ユーザ特定部
１５  送話器
１９  一方の面
２０  主装置
２１  メモリ部
２２  ＤＳＰ部
２３  制御部
３０  電話端末
３１  受話器
３２  受話器向き情報検出部
３２ａ  加速度センサ
３２ｂ  温度センサ
３３  制御部
３４  ユーザ特定部
３５  送話器
３６  メモリ部
３７  ＤＳＰ部
【図１】
2020127137.tif 000003
【図２】
2020127137.tif 000004
【図３】
2020127137.tif 000005
【図４】
2020127137.tif 000006
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
受話レベルを調整可能な受話器と、
前記受話器の向きを検出する受話器向き情報検出部と、
前記受話器向き情報検出部が検出した前記受話器の向きに基づいて、前記受話器がユーザの耳にあてられた状態を判断し、所定の前記受話レベルに調整する制御部と、
前記受話器が前記ユーザの耳にあてられた状態と、前記ユーザの情報と、を紐付けたデータとして保存するメモリ部と、
を備え、
前記制御部は、
前記メモリ部に保存された前記データを基に、右耳、左耳のどちらの耳で使用される頻度が高いかを算出し、算出した結果より、前記ユーザの利き耳を特定し、
前記受話器がユーザの耳にあてられた状態、及び、前記ユーザの利き耳に基づいて、所定の前記受話レベルに調整する、
電話端末。
【請求項２】
前記電話端末は、
前記ユーザを特定するユーザ特定部をさらに備えた、
請求項１に記載の電話端末。
【請求項３】
前記受話器向き情報検出部は、
前記受話器が移動する加速度を検出する加速度センサと、
前記受話器の温度を検出する温度センサと、
を含む、請求項１または２に記載の電話端末。
【請求項４】
受話レベルを調整可能な受話器と、
前記受話器の向きを検出する受話器向き情報検出部と、
前記受話器向き情報検出部が検出した前記受話器の向きに基づいて、前記受話器がユーザの耳にあてられた状態を判断し、所定の前記受話レベルに調整する制御部と、
を備えた電話端末と、
前記電話端末と有線又は無線により情報の送受信が可能な状態に接続された
主装置と、
を備え、
前記主装置は、
前記受話器が前記ユーザの耳にあてられた状態と、前記ユーザの情報と、を紐付けたデータとして保存するメモリ部と、
前記メモリ部に保存された前記データを基に、右耳、左耳のどちらの耳で使用される頻度が高いかを算出し、算出した結果より、前記ユーザの利き耳を特定する主装置制御部と、
を有する電話システム。
【請求項５】
前記主装置は、
前記受話レベルを調整するＤＳＰ部をさらに有する、
請求項４に記載の電話システム。
【請求項６】
受話レベルを調整可能な受話器の向きを検出するステップと、
検出した前記受話器の向きに基づいて、前記受話器がユーザの耳にあてられた状態を判断するステップと、
前記受話器がユーザの耳にあてられた状態に基づいて、所定の前記受話レベルに調整するステップと、
前記受話器が前記ユーザの耳にあてられた状態と、前記ユーザの情報と、を紐付けたデータとして保存するステップと、
を備え、
前記受話器がユーザの耳にあてられた状態を判断するステップにおいて、
保存された前記データを基に、右耳、左耳のどちらの耳で使用される頻度が高いかを算出し、算出した結果より、前記ユーザの利き耳を特定し、
前記所定の前記受話レベルに調整するステップにおいて、
前記受話器がユーザの耳にあてられた状態、及び、前記ユーザの利き耳に基づいて、所定の前記受話レベルに調整する、
受話レベル補正方法。
【請求項７】
前記ユーザを特定して前記ユーザの情報を設定する、
請求項６に記載の受話レベル補正方法。
【請求項８】
前記受話器の向きを検出するステップは、
前記受話器が移動する加速度を検出して受話器の向きを検出し、
前記受話器がユーザの耳にあてられた状態を判断するステップは、
前記受話器の温度を更に検出して判断する、
請求項６または７に記載の受話レベル補正方法。
【請求項９】
コンピュータに、請求項６乃至８の何れか１項に記載の受話レベル補正方法を実行させる、受話レベル補正プログラム。